(57)【要約】【課題】低音感がありながら、アタック音が目立つ打撃音を発生することができるドラムを提供する。【解決手段】ドラム１０は、円筒状のシェル１１と、シェル１１の一方の開口に取り付けられて打面を構成するドラムヘッド１２とを有する。ドラムヘッド１２の裏面の有効可動部全面には、弾性を備えたシートからなる打面側質量付与部材１３が設置されている。打面側質量付与部材１３およびドラムヘッド１２は、固定部材１３ａにより局所的に圧力が与えられて挟み込まれ、打面側質量付与部材１３がドラムヘッド１２に固定されている。【選択図】図１
2015079172.tif 000002
【特許請求の範囲】
【請求項１】
筒状のシェルと、
前記シェルの一方の開口に取り付けられたドラムヘッドとを有し、
前記ドラムヘッドの裏面の有効可動部の全面または一部に、弾性を備えたシートからなる質量付与部材を設置し、
固定部材により局所的に前記質量付与部材および前記ドラムヘッドを挟み込むことにより、前記質量付与部材を前記ドラムヘッドに固定したことを特徴とするドラム。
【請求項２】
前記固定部材として、前記質量付与部材および前記ドラムヘッドの両方を貫通する留め具を用いたことを特徴とする請求項１に記載のドラム。
【請求項３】
前記固定部材を、前記ドラムヘッドの周方向に設置したことを特徴とする請求項１または２に記載のドラム。
【請求項４】
筒状のシェルの一方の開口に取り付けられるドラムヘッドにおいて、
前記ドラムヘッドの裏面の有効可動部の全面または一部に、弾性を備えたシートからなる質量付与部材を設置して、
固定部材により局所的に前記質量付与部材および前記ドラムヘッドを挟み込むことにより、前記質量付与部材を前記ドラムヘッドに固定したことを特徴とするドラムヘッド。
【発明の詳細な説明】
【技術分野】
【０００１】
本発明は、ドラムの音質改善に関する。
【背景技術】
【０００２】
ドラムセットは、バスドラムやタムタム、スネアドラムなど複数種のドラムにより構成されている。これら複数種のドラムのうちバスドラムについては、その打撃音に力強い低音感とビータによるアタック音の両方が必要とされる。そして、力強い低音感を得るために、より大型のバスドラムを用いたり、ドラムヘッドにジェルやスポンジリングを貼り付けたりして低音を強調することが行われている。このようなバスドラムの中に、ヘッド部材に振動吸収材を貼り付けることによって、打撃音を変化させたバスドラムもある（例えば、特許文献１参照）。このドラムでは、ドラム胴の一方の開口にドラムフープを介してドラムヘッドが取り付けられている。そして、ドラムヘッドの打撃面の裏側には、薄いシート状のゴムまたはプラスチックからなる振動吸収材が貼り付けられている。
【先行技術文献】
【特許文献】
【０００３】
【特許文献１】実用新案登録第３００４７６８号公報
【発明の概要】
【発明が解決しようとする課題】
【０００４】
しかしながら、前述したドラムでは、振動吸収材をドラムヘッドの全面に貼り付けて固定しているため、ドラムヘッドの可動損失が増大して、打撃音がこもった音になる。このドラムにおいては、振動吸収材としてゴムシートを用いることも考慮されているが、このようなゴムシートからなる振動吸収材の全面をドラムヘッドに固定した場合には、バスドラムの低音感は得られるものの、ドラムヘッドの損失は非常に大きいものとなり、アタック音が目立つ打撃音を発生させることができなくなる。このように、バスドラムの打撃音にアタック音が欠如すると拍がとれず正確なリズムが刻めなくなるため、他の楽器の演奏者も含め、演奏性の悪化を招く。
【０００５】
この発明は、前述した問題に対処するためになされたもので、その目的は、低音感がありながら、アタック音が目立つ打撃音を発生することができるドラムを提供することにある。
【課題を解決するための手段】
【０００６】
この発明は、筒状のシェルと、前記シェルの一方の開口に取り付けられたドラムヘッドとを有し、前記ドラムヘッドの裏面の有効可動部の全面または一部に、弾性を備えたシートからなる質量付与部材を設置し、固定部材により局所的に前記質量付与部材および前記ドラムヘッドを挟み込むことにより、前記質量付与部材を前記ドラムヘッドに固定したことを特徴とするドラムを提供する。
【０００７】
かかるバスドラムによれば、ドラムヘッドの裏面に、質量付与部材を固定部材によりドラムヘッドに固定している。このように、本発明におけるドラムは、質量付与部材および固定部材を用いてドラムヘッドを重くすることにより、打撃音の周波数を大きく低下させることができ、これによって、低音を強調した打撃音を発生することができる。
【０００８】
また、質量付与部材が局所的にドラムヘッドに固定されているため、打撃された際に、ドラムヘッドと質量付与部材とは全体的には一体として振動するが、局部的、瞬間的には別々の挙動を生じるようになる。このドラムヘッドと質量付与部材の相互作用によって、アタック音が目立つ打撃音を発生することができる。
【０００９】
さらに、固定部材により質量付与部材とドラムヘッドとを挟むので、ドラムヘッドにおける高調波（詳しくは曲げ波の高周波成分）は、固定部材により反射される。また、この発明では、固定部材により質量付与部材とドラムヘッドとを局所的に挟むので、高調波は損失することなく効率よく反射される。従って、質量付与部材を粘着物等でドラムヘッドに固定する場合に比べ、打撃時に発生する振動の高調波成分のエネルギーが失われず、アタック音が目立つ打撃音を発生することができる。
【００１０】
さらに、質量付与部材はドラムヘッドの裏面に固定されているため、ビータが直接質量付与部材に接触することがなく、ビータの打撃によって質量付与部材の耐久性が低下することはない。
【００１１】
好ましい態様において、固定部材は、リベットやボルトとそれに螺合するナット、固定用の針等のように、質量付与部材およびドラムヘッドの固定部に貫通孔を設けて、貫通させて固定するものや、磁石等のように貫通させずに固定するもので構成することができる。また、固定部材を構成する材料としては、金属やプラスチック、磁性体等を用いることができる。すなわち、固定部材として用いられるものは、質量付与部材およびドラムヘッドを挟み込み、局所的に圧力を与えることができるものであればよく、限定解釈されるものではない。
【００１２】
また、質量付与部材は、天然ゴム、シリコンゴム、ウレタンゴム等の各種のゴムや、エラストマー等で構成することができる。また、質量付与部材を構成する材料としては、ドラムヘッドを構成する材料よりも剛性が低く比重が大きな材料を用いることが好ましい。また、本発明において、有効可動部とは、ドラムヘッドにおける打面を形成する領域であり、フープ等によって表面から隠れた領域は除いた範囲になる。
【００１３】
さらに、質量付与部材が貼り付けられたドラムヘッドは、交換可能にシェルに組み付けるようにしてもよいし、質量付与部材は、交換可能にドラムヘッドに組み付けるようにしてもよい。質量付与部材が貼り付けられたドラムヘッドを交換可能にする場合は、ドラムヘッドに対する質量付与部材の固定領域が異なる複数の組付体を準備して、使用に応じて、適宜任意の組付体を選択する。また、質量付与部材を交換可能にする場合には、ドラムヘッドに固定される領域に、リベット等を取り付けた質量付与部材を複数準備して、使用に応じて、適宜任意の質量付与部材を選択してドラムヘッドに固定する。
【００１４】
他の好ましい態様では、ドラムにおけるシェルの他方の開口にフロントヘッドを取り付ける。そして、前記フロントヘッドの表面および裏面の少なくとも一方の有効可動部全面に、弾性を備えたシートからなるフロント側質量付与部材を設置して、前記フロント側質量付与部材の少なくとも一部を前記フロントヘッドに固定し、前記フロントヘッドおよび前記フロント側質量付与部材に空気抜き穴を設ける。
【００１５】
この態様では、フロントヘッドを設けることによって、低音を強調することができる。また、フロントヘッドに空気抜き穴を設けたことによって打撃音の減衰が早くなるため、打撃音がタイト（しまったよう）になる。なお、フロントヘッドは、ビータで、直接打撃される面ではないため、フロント側質量付与部材は、フロントヘッドの裏面に限らず表面に設けてもよい。また、フロントヘッドには、ビータとの相互作用は存在しないため、フロント側質量付与部材の全面をフロントヘッドに固定してもよいし、フロント側質量付与部材の一部だけをフロントヘッドに固定してもよい。
【図面の簡単な説明】
【００１６】
【図１】本発明の第１実施形態であるバスドラムの構成を示す背面図および断面図である。
【図２】同実施形態における打面側質量付与部材のドラムヘッドへの固定態様を示す図である。
【図３】本発明の第２実施形態であるバスドラムの構成を示す背面図、断面図および正面図である。
【図４】本発明の第３実施形態であるバスドラムの構成を示す背面図、断面図および正面図である。
【図５】同バスドラムの打撃音の大きさの時間変化を比較例と対比して示すグラフである。
【図６】同バスドラムの打撃音の周波数に対する音圧の大きさを比較例と対比して示すグラフである。
【図７】本発明の他の実施形態であるバスドラムの構成を示す背面図、断面図および正面図である。
【発明を実施するための形態】
【００１７】
＜第１実施形態＞
図１（ａ）および（ｂ）は、この発明の第１実施形態であるバスドラム１０の構成を示す図である。ここで、図１（ｂ）は、図１（ａ）のＩ−Ｉ’線断面図であり、図１（ａ）は図１（ｂ）におけるバスドラム１０を矢印Ａ方向から見た背面図である。また、図２（ａ）は、本実施形態における打面側質量付与部材１３のドラムヘッド１２への固定態様を示す斜視図である。図２（ｂ）は、打面側質量付与部材１３のドラムヘッド１２への固定態様を示す断面図である。以下の説明においては、バスドラム１０における打面側を背面（後方）、背面と反対側を正面（前方）とする。
【００１８】
図１（ａ）および（ｂ）に示すように、バスドラム１０は、胴部を構成する円筒状のシェル１１と、シェル１１の後部開口に取り付けられた円形のドラムヘッド１２とを備えている。この例では、シェル１１の口径は１２インチ、奥行きは１１インチである。そして、ドラムヘッド１２の裏面（内面）には打面側質量付与部材１３が固定されている。
【００１９】
シェル１１は、木材（バーチ材）で構成されており、振動が発生したときに、シェル１１の内部の空気を効率よく前方に伝えたり、振動を内部で反響させたりする機能を備えている。ドラムヘッド１２は、ＰＥＴ（ポリエチレンテレフタレート）のフィルムからなる円形のヘッド部１２ａと、金属製のリングからなるフレッシュフープ１２ｂとで構成されている。図２（ａ）に示すように、ヘッド部１２ａは、外周縁部がフレッシュフープ１２ｂに連結されることにより円形に保持されている。このヘッド部１２ａは、厚みが２５０μｍであり、直径がシェル１１の後部開口の直径よりも少し長い。
【００２０】
打面側質量付与部材１３は、厚みが１ｍｍ、直径が２９０ｍｍで、ショア硬度が５０度のニトリルゴムからなるシートで構成されている。本実施形態の特徴は、この打面側質量付与部材１３のヘッド部１２ａの裏面への固定態様にある。本実施形態において打面側質量付与部材１３は、ヘッド部１２ａの裏面の有効可動部の全面を覆っている。ここで、有効可動部とは、ヘッド部１２ａの裏面において、シェル１１の後部開口内に属する領域をいう。そして、本実施形態では、図１（ａ）に示すように、打面側質量付与部材１３およびヘッド部１２ａの外周側領域の周方向に間隔を保った複数の固定部（図１（ａ）に示す例では６個所の固定部）において、固定部材により、局所的に圧力を与えて打面側質量付与部材１３およびヘッド部１２ａを挟み込み、打面側質量付与部材１３をヘッド部１２ａに固定している。具体的には本実施形態では、図１（ａ）および図２（ａ）に示すように、打面側質量付与部材１３をヘッド部１２ａに固定する固定部材として、打面側質量付与部材１３およびヘッド部１２ａの両方を貫通する留め具であるリベット１３ａを使用し、このリベット１３ａとワッシャ１３ｂにより打面側質量付与部材１３をヘッド部１２ａに局所的に与圧固定している。なお、ワッシャ１３ｂは打面側質量付与部材１３およびドラムヘッド１２が四散しないよう固定するために用いられており、図２（ａ）に示すようにヘッド部１２ａの裏側のみに設置されている。ここで、固定部において局所的に圧力を与えるとは、固定部のみに圧力を与え、固定部以外の領域には殆ど圧力を与えないという意味である。また、固定部とは、局所的な圧力が与えられる領域であり、この例では打面側質量付与部材１３およびヘッド部１２ａにおいてリベット１３ａの下面とワッシャ１３ｂとが重複した領域である。
【００２１】
打面側質量付与部材１３が固定されたドラムヘッド１２は、ラグ１４と張設部１５とによってシェル１１の後部開口に着脱可能に取り付けられる。そして、ヘッド部１２ａと打面側質量付与部材１３とが重なった領域によって打面が構成される。なお、フレッシュフープ１２ｂの内径は、シェル１１の外径よりも僅かに大きい。そして、フレッシュフープ１２ｂの内部側にシェル１１の後部を入れたときに、ヘッド部１２ａの外周側領域と、打面側質量付与部材１３の外周縁部とがシェル１１の後部開口の周縁部に押し付けられる。
【００２２】
ラグ１４は、平面状に形成された後面から前部側に行くほど徐々に先細りになった部材で構成されており、後面から内部前部側に向かってシェル１１の外周面に平行して延びるねじ穴が形成されている。また、ラグ１４の内面はシェル１１の外周面に沿える曲面に形成されており、ラグ１４は、シェル１１の外周面における前後方向の中央よりもやや後方に、シェル１１の外周面に沿って固定されている。このラグ１４は、シェル１１の周方向に一定間隔を保って６個設けられている。
【００２３】
張設部１５は、フープ１５ａと、チューニングピン１５ｂとで構成されている。フープ１５ａは、後部よりも前部の方が直径が長くなった段違いのリング状に形成されており、前部側領域はフレッシュフープ１２ｂの外周面と後面とを覆うことのできる大きさに形成され、後部側領域の内径はフレッシュフープ１２ｂの内径と略同じである。また、フープ１５ａの大径になった前部側領域の外周後部には、ピン挿通穴を備えた係合突起１５ｃが、ラグ１４と同じ数だけ周方向に一定間隔を保って形成されている。チューニングピン１５ｂは、係合突起１５ｃのピン挿通穴に挿通できるとともに、ラグ１４のねじ穴に螺合できるねじ部と、直径が係合突起１５ｃのピン挿通穴の直径よりも長くなって係合突起１５ｃのピン挿通穴を挿通できない頭部とからなっておりラグ１４と同じ数だけ備わっている。
【００２４】
このため、シェル１１の後部開口に、打面側質量付与部材１３が固定されたドラムヘッド１２を組み付けて、係合突起１５ｃとラグ１４とをそれぞれ対向させた状態で、フレッシュフープ１２ｂの後部にフープ１５ａを合わせ、各チューニングピン１５ｂのねじ部を、順次係合突起１５ｃのピン挿通穴に通してラグ１４のねじ穴に螺合させることにより、ドラムヘッド１２をシェル１１に固定できる。そのときのチューニングピン１５ｂの締め具合を変更することにより、ドラムヘッド１２および打面側質量付与部材１３のテンションを調節できる。この場合、フープ１５ａの後部は、ドラムヘッド１２よりも後方に突出している。また、図示は省略しているが、ドラムヘッド１２の後方には、ビータを備えたフッドペダルが設置されており、演奏者が足でフッドペダルを操作することによりビータがドラムヘッド１２を打撃する。
【００２５】
以上のように構成されたバスドラム１０のドラムヘッド１２をビータで打撃すると、ドラムヘッド１２は打面側質量付与部材１３とともに変位する。この場合、ドラムヘッド１２と打面側質量付与部材１３とは、全体としては一体として振動するが、ドラムヘッド１２と打面側質量付与部材１３には、個々に張力がかかっており、これらは局部的、瞬間的には別々に挙動する。そして、ドラムヘッド１２と打面側質量付与部材１３との変位によって、シェル１１内の空気は圧縮されて前方に移動していく。その後、ドラムヘッド１２と打面側質量付与部材１３の変形が繰り返されて振動となり、その振動から生まれる空気の振動が打撃音となって響くようになる。この際、バスドラム１０は、打面側質量付与部材１３を設けたことにより、従来のバスドラムとは異なる周波数を備えた打撃音を発生するようになる。
【００２６】
また、ドラムヘッド１２および打面側質量付与部材１３は、図２（ｂ）に示すように、リベット１３ａおよびワッシャ１３ｂによって表裏両面から挟み込まれ、さらに局所的に圧力が与えられる。さらにドラムヘッド１２および打面側質量付与部材１３の固定部をリベット１３ａが貫通している。このため、ドラムヘッド１２における高調波（詳しくは曲げ波の高周波成分）は、固定部材であるリベット１３ａおよびワッシャ１３ｂにより反射される。また、固定部材であるリベット１３ａおよびワッシャ１３ｂによりドラムヘッド１２および打面側質量付与部材１３を局所的に挟むので、高調波は損失することなく効率よく反射される。従って、打面側質量付与部材１３とドラムヘッド１２とを粘着物等により固定した場合に比べ、打撃時に発生する振動の高調波成分のエネルギーが失われず、アタック音が目立つ打撃音を発生することができる。従って、本実施形態では、ビータ打撃時に発生する音波の高調波成分の損失を防止することができ、アタック音が目立つ打撃音を発生することができる。また、本実施形態では、打面側質量付与部材１３に固定される金属製のリベット１３ａおよびワッシャ１３ｂの質量がドラムの打撃音の周波数を低下させる。従って、より低音感のある音を発生することができる。
【００２７】
＜第２実施形態＞
図３（ａ）〜（ｃ）は、この発明の第２実施形態であるバスドラム２０の構成を示す図である。ここで、図３（ｂ）は、図３（ａ）のＩ−Ｉ’線断面図、図３（ａ）は図３（ｂ）におけるバスドラム２０を矢印Ａ方向から見た背面図、図３（ｃ）は図３（ｂ）におけるバスドラム２０を矢印Ｂ方向から見た正面図である。このバスドラム２０は、胴部を構成する円筒状のシェル２１と、シェル２１の後部開口に取り付けられた円形のドラムヘッド２２と、シェル２１の前部開口に取り付けられた円形のフロントヘッド２６とを備えている。ドラムヘッド２２は、ヘッド部２２ａとフレッシュフープ２２ｂとで構成されている。また、ヘッド部２２ａの裏面には打面側質量付与部材２３がリベット２３ａおよびワッシャ２３ｂにより固定されている。そして、ドラムヘッド２２は、シェル２１の外周面に設けられた６個のラグ２４と、係合突起２５ｃを含むフープ２５ａとチューニングピン２５ｂとからなる張設部２５とによってシェル２１の後部開口に取り付けられている。
【００２８】
前述した各部材のうち、シェル２１、ドラムヘッド２２、打面側質量付与部材２３、リベット２３ａ、ワッシャ２３ｂ、ラグ２４および張設部２５は、前述した第１実施形態におけるシェル１１、ドラムヘッド１２、打面側質量付与部材１３、リベット１３ａ、ワッシャ１３ｂ、ラグ１４および張設部１５とそれぞれ同一の部材で構成されている。すなわち、バスドラム２０は、フロントヘッド２６を除けば、上記第１実施形態のバスドラム１０と同様のものになる。そして、フロントヘッド２６は、ヘッド部２２ａと同じＰＥＴのフィルムからなる円形のヘッド部２６ａと、フレッシュフープ２２ｂと同じ金属製のリングからなるフレッシュフープ２６ｂとで構成されている。
【００２９】
このフロントヘッド２６は、６個のラグ２７と張設部２８とを介して、ドラムヘッド２２と前後の方向を変えて同様の方法により、シェル２１の前部開口に着脱可能に取り付けられる。この場合も、張設部２８に備わっているチューニングピン２８ｂのねじ部を、フープ２８ａに形成された係合突起２８ｃのピン挿通穴に通してラグ２７のねじ穴に螺合させる。その際に、チューニングピン２８ｂの締め具合を変更することにより、フロントヘッド２６のテンションを調節できる。なお、図３（ａ），（ｃ）は、ラグ２４，２７および張設部２５，２８を除いた状態を示している。
【００３０】
また、フロントヘッド２６におけるヘッド部２６ａの裏面（内面）にフロント側質量付与部材２９が貼り付けられており、そのヘッド部２６ａとフロント側質量付与部材２９とに前後に貫通するエアホール２６ｃが形成されている。このフロント側質量付与部材２９は、前述した打面側質量付与部材１３と同一のもので構成されており、その全面が両面テープによってフロントヘッド２６に固定されている。また、このエアホール２６ｃは、ヘッド部２６ａおよびフロント側質量付与部材２９の中心から５６ｍｍずれたところに設けられ、直径は１００ｍｍである。なお、エアホール２６ｃの位置や大きさは一例であり、任意に定めてよい。このバスドラム２０のそれ以外の部分の構成については、前述したバスドラム１０と同一である。したがって、同一部分に同一符号を記して説明は省略する。
【００３１】
このように構成されたバスドラム２０の打面をビータで打撃すると、ドラムヘッド２２は打面側質量付与部材２３とともに変位する。この場合、ドラムヘッド２２および打面側質量付与部材２３は、前述したドラムヘッド１２および打面側質量付与部材１３と同様に振動する。そして、ドラムヘッド２２および打面側質量付与部材２３の変位によって、シェル２１内の空気は圧縮され、圧縮された空気はフロントヘッド２６を前方に押して変形させる。その後、ドラムヘッド２２と打面側質量付与部材２３およびフロントヘッド２６の変形が繰り返されて振動となり、その振動から生まれる空気の振動が打撃音となって響くようになる。その際、発生する打撃音は、前述したバスドラム１０の打撃音よりも低音が強調されたものとなる。
【００３２】
また、ヘッド部２６ａおよびフロント側質量付与部材２９にエアホール２６ｃを形成したことにより、内部の空気がエアホール２６ｃからも外部に抜け出るようになり、打撃音の減衰が早くなる。これによって、エアホール２６ｃがないバスドラムの打撃音と比較してよりタイトな打撃音になる。このバスドラム２０のそれ以外の作用効果については、前述した第１実施形態のバスドラム１０と同様である。
【００３３】
なお、フロントヘッド２６は、ビータによって直接打撃される面ではないため、フロント側質量付与部材２９は、フロントヘッド２６の裏面でなく表面に設けてもよい。また、フロントヘッド２６には、ビータとの相互作用は存在しないため、フロント側質量付与部２９の全面をフロントヘッド２６に固定してもよい。また、フロント側質量付与部２９は、外周部のみを固定してもよいし、一部をランダムに固定してもよい。
【００３４】
＜第３実施形態＞
図４（ａ）〜（ｃ）は、この発明の第３実施形態であるバスドラム３０の構成を示す図である。ここで、図４（ｂ）は、図４（ａ）のＩ−Ｉ’線断面図、図４（ａ）は図４（ｂ）におけるバスドラム３０を矢印Ａ方向から見た背面図、図４（ｃ）は図４（ｂ）におけるバスドラム３０を矢印Ｂ方向から見た正面図である。このバスドラム３０では、ドラムヘッド３２におけるヘッド部３２ａと打面側質量付与部材３３との固定部が、外周側領域の周方向に間隔を保った複数個所と、中央部の周方向に間隔を保った複数個所とで構成されている。このバスドラム３０のそれ以外の部分の構成については、前述したバスドラム２０と同一である。従って、同一部分に同一符号を記して説明は省略する。
【００３５】
このバスドラム３０によると、打面側質量付与部材３３の外周側領域に加えて、ビータで打撃される中央部にも固定部が配置されたことにより、ビータ打撃時のビータとドラムヘッド３２の衝突、およびドラムヘッド３２と打面側質量付与部材３３の衝突の頻度が増す。これによって、ビータとドラムヘッド３２の相互作用、およびドラムヘッド３２と打面側質量付与部材３３の相互作用が増大するため、バスドラム３０は、より一層アタック音が目立つ打撃音を発生することができる。
【００３６】
本願発明者らは、このバスドラム３０の打撃音と、比較例のバスドラムの打撃音とを測定して比較する実験を行った。比較例のバスドラムには、バスドラム３０で用いられているものと同一のドラムヘッドを用い、その裏面に、打面側質量付与部材３３と同一のゴムシートを設置し、バスドラム３０と同様の固定位置において、打面側質量付与部材３３をアクリル系粘着剤と不敷布とからなる両面テープによってヘッド部３２ａに固定した。このとき、固定領域の幅（両面テープの幅）は１０ｍｍとした。比較例のそれ以外の部分の構成については、バスドラム３０と同一とした。
【００３７】
測定には、シェルの口径が１３インチである１３インチバスドラムを用いた。また、同じ演奏者が各バスドラムに対して同じフットペダルを用いて打撃操作し、そのときの打撃は、やや強く（メゾフォルテ）なるようにした。そして、演奏者の耳の位置近傍に測定用マイクを設置して、打撃音を収音し、時間波形と周波数波形との分析結果をそれぞれ比較した。
【００３８】
図５（ａ）および（ｂ）は、バスドラム３０の打撃音の大きさの時間変化を比較例と対比して示すものであり、図５（ａ）は比較例の打撃音の時間波形、図５（ｂ）はバスドラム３０の打撃音の時間波形を示している。図５（ａ）および（ｂ）によると、比較例およびバスドラム３０のいずれにおいても、打撃音の時間波形の周期は長く、ゴムシートをドラムヘッド３２に固定した効果が認められる。
【００３９】
一方、バスドラム３０の打撃音は、打撃直後の初期波形に細かな起伏が発生し、アタック音が比較例よりもより一層発生していることが認められる。
【００４０】
図６はバスドラム３０の打撃音の周波数に対する音圧の大きさを比較例と対比して示す図である。この図６において、実線ａは比較例のバスドラムの打撃音のスペクトル分布を示し、破線ｂはバスドラム３０の打撃音のスペクトル分布を示している。実線ａと破線ｂとを比較すると、周波数が０Ｈｚから１０００Ｈｚでは、ともに相対音圧レベルが大きく低音が強調されていることが認められる。一方、１０００Ｈｚを超えた領域では、破線ｂは実線ａよりも相対音圧レベルが大きく、高調波の音圧レベルが大きいことがわかる。すなわち、バスドラム３０では、比較例と異なり、高調波成分の損失が少なく、アタック音が目立つ打撃音が発生していることが分かる。
【００４１】
＜第４実施形態＞
図７（ａ）〜（ｃ）は、この発明の第４の実施形態であるバスドラム４０の構成を示す図である。ここで、図７（ｂ）は、図７（ａ）のＩ−Ｉ’線断面図、図７（ａ）は図７（ｂ）におけるバスドラム４０を矢印Ａ方向から見た背面図、図７（ｃ）は図７（ｂ）におけるバスドラム４０を矢印Ｂ方向から見た正面図である。このバスドラム４０では、シェル４１の内周面の一部に吸音部材４１０が取り付けられている。この吸音部材４１０は、厚みが４０ｍｍ、前後方向の長さが１５０ｍｍ、シェル４１の内周面の周方向に沿った長さが２００ｍｍで、密度が２０ｋｇ／ｍ3の発泡ウレタンフォームで構成されており、シェル４１の内周面における前後方向の中央に接着剤により貼り付けられている。このバスドラム４０のそれ以外の部分の構成については、前述したバスドラム３０と同一である。従って、同一部分に同一符号を記して説明は省略する。吸音部材４１０は第１実施形態および第２実施形態のバスドラム１０およびバスドラム２０において用いてもよい。
【００４２】
このバスドラム４０によると、シェルの内周面に吸音部材４１０を配置することにより、ドラムヘッドの振動を損失させることなく、シェルの内部共鳴音だけを低減することができる。これによって、バスドラム４０は心地の良い打撃音を発生することができる。
【００４３】
本実施形態は、特に、小型のバスドラムの場合に大きな効果を発揮する。小型のバスドラムの場合、シェルの容積が小さいため、シェルの内部共鳴音がより高い周波数で共鳴するが、本実施形態によると、この内部共鳴音を効率よく低減させることができる。この吸音部材４１０としては、スポンジやウレタンフォーム等を用いることができる。このバスドラム４０のそれ以外の作用効果については、前述した第３実施形態のバスドラム３０と同様である。なお、この場合も、フロント側質量付与部材２９は、フロントヘッド２６の裏面でなく表面に設けてもよいし、フロント側質量付与部材２９の一部をフロントヘッド２６に固定してもよい。
【００４４】
また、本実施形態におけるバスドラムは、前述した各実施形態や各変形例に限定するものではなく、さらに変更して実施できる。例えば、第１〜第３実施形態では、ドラムヘッド１２，２２等におけるヘッド部１２ａ，２２ａ等と打面側質量付与部材１３，２３等との固定部が、外周側領域および中央部で周方向に間隔を保った複数個所で構成されているが、周方向に限定せず局所的な配置としてもよい。これは、固定部の位置に関わらず、ドラムヘッドと打面側質量付与部材の間には相互作用が発生するためである。ただし、固定部は、一部領域に集中的に配置するのではなく、周方向もしくは平均的に配置することが好ましい。これにより、効率よくバスドラムを振動させることができ、アタック音が目立つ打撃音を発生することができる。
【００４５】
＜他の実施形態＞
以上、本発明の第１〜第４実施形態を説明したが、本発明には他にも実施形態があり得る。例えば、第１〜第４実施形態では、本発明を円筒状のシェル１１、２１または４１を有するドラムに適用したが、シェルの形状は円筒以外の筒状であってもよい。また、第１〜第４実施形態では、固定部材として、リベット１３ａ，２３ａ等およびワッシャ１３ｂ，２３ｂ等を用い、打面側質量付与部材１３，２３等およびドラムヘッド１２，２２等の固定部に貫通孔を設け、固定部を貫通する固定部材によって打面側質量付与部材１３，２３等およびドラムヘッド１２，２２等を固定した。このように、固定部材は、貫通孔を設けて固定するものに限定されず、貫通孔を設けずに固定するものであってもよい。例えば、固定部材として、強力な永久磁石と強磁性体の組を用い、この両者により、打面側質量付与部材とドラムヘッドとを挟み込み、局所的に圧力を加えてもよい。この態様においても、上記第１〜第４実施形態と同様な効果が得られる。
【００４６】
さらに、第１〜第４実施形態は、貫通孔を設けて用いる固定部材として、リベット１３ａ，２３ａ等およびワッシャ１３ｂ，２３ｂ等のような留め具を用いているが、留め具はこれに限定されるものではない。例えば、ボルトおよびそれに螺合するナット等で構成してもよい。また、その材質も金属製材料に限定されるものではなく、プラスチック等の、材質や密度の異なるものを用いてもよい。留め具を用いることで、挟み込み時の圧力を変化させることにより、より一層アタック音が目立つ打撃音が発生することも考えられる。一方で、留め具を用いる代わりに、ステープラーの針等の固定部材を用いて固定してもよい。これらの態様においても上記第１〜第４実施形態と同様な効果が得られる。
【００４７】
また、打面側質量付与部材１３，２３等やフロント側質量付与部材２９は、一枚のものでなく複数枚のものを重ねて使用してもよい。また、打面側質量付与部材１３，２３等やフロント側質量付与部材２９を構成する材料は、ニトリルゴムに限らず、他のゴムやエラストマー等で構成することができる。要は、弾性や可撓性を備えたシート材料であって、ヘッド部１２ａ，２２ａ等の振動を阻害することなく質量を増加できるものであればよい。
【００４８】
さらに、フロント側質量付与部材２９のヘッド部２６ａへの固定方法は、両面テープ等を用いた粘着に限らず、接着剤を用いて固定してもよい。また、リベットやステープラーの針等の固定部材を用いて固定することもできる。さらに、ヘッド部１２ａ，２２ａ等を構成する材料としては、ＰＥＴフィルムに限らず、ＰＥＴフィルムと同様の性質を持つ他の高分子フィルムを用いてもよい。また、吸音部材４１０としては、発泡ウレタンフォームの他、グラスウール等繊維系の材料やスポンジ等を用いることができる。
【００４９】
さらに、打面側質量付与部材１３，２３等が貼り付けられたドラムヘッド１２，２２等は、予めバスドラムに組み込まれたものでなく、別途組み込みが可能にして用いることができる。この場合、複数種類のドラムヘッドを準備して、任意のものを使用に応じて用いることが好ましい。また、打面側質量付与部材１３，２３等についても、ドラムヘッドに固定される領域に、リベット等の留め具を取り付けた打面側質量付与部材を複数準備して、使用に応じて、任意の打面側質量付与部材を選択してドラムヘッドに固定することができる。
【００５０】
さらに上記各実施形態では、円状のドラムヘッドに円状の質量付与部材を固定したが、例えば円状のドラムヘッドに半分の面積の半月状の質量付与部材を固定してもよい。また、質量付与部材は、ドラムヘッドに固定可能な範囲で任意の面積のものを用いればよい。
【００５１】
なお、前述した各実施形態では、１２インチの小型バスドラムを中心に説明したが、本発明におけるバスドラムは、小型のバスドラムから大型のバスドラムまで各種のサイズのバスドラムに適用できることはいうまでもない。また、この発明は、バスドラムの他にも、タムタムやスネアドラムなど複数種のドラムにも適用できる。さらに、バスドラム１０等のそれ以外の部分の構成についても、本発明の技術的範囲内で、適宜、変更して実施することが可能である。
【符号の説明】
【００５２】
１０，２０，３０，４０…バスドラム、１１，２１，４１…シェル、１２，２２，３２…ドラムヘッド、１２ａ，２２ａ，３２ａ…ヘッド部、１２ｂ，２２ｂ…フレッシュフープ、１３，２３，３３…打面側質量付与部材、１３ａ，２３ａ，３３ａ…リベット、１３ｂ，２３ｂ，３３ｂ…ワッシャ、１４，２４…ラグ、１５，２５…張設部、１５ａ，２５ａ…フープ、１５ｂ，２５ｂ…チューニングピン、１５ｃ，２５ｃ…係合突起、２６…フロントヘッド、２６ａ…ヘッド部、２６ｂ…フレッシュフープ、２６ｃ…エアホール、２７…ラグ、２８…張設部、２８ａ…フープ、２８ｂ…チューニングピン、２８ｃ…係合突起、２９…フロント側質量付与部材、４１０…吸音部材。
【図１】
2015079172.tif 000003
【図２】
2015079172.tif 000004
【図３】
2015079172.tif 000005
【図４】
2015079172.tif 000006
【図５】
2015079172.tif 000007
【図６】
2015079172.tif 000008
【図７】
2015079172.tif 000009